(57)【要約】【課題】  モバイル技術を利用した日常的水質監視システムを提供する。【解決手段】  水質測定装置（測定側）により測定した水質データをインターネットを介して管理部（管理側）に送信して解析し、その水質を監視するための水質監視システムであって、測定側は、水質検査機器による測定データを管理側のサーバにメール送信し、管理側は、上記測定データを受信し、該測定データを解析し、データベース化すると共に、所定の水質データ及び／又はアラート情報をクライアントのモバイル端末にメール送信すると共に、クライアントのＰＣからの指令により、所定のデータを水質測定装置内にある通信端末へメール送信し、クライアントは、上記モバイル端末の画面上に表示された上記水質データ及び／又はアラート情報に基づいて水質を監視する、水質監視システム。【選択図】図１
2005250557.tif 000002
【特許請求の範囲】
【請求項１】
複数の水質検査箇所に設置した水質測定装置（測定側）により測定した水質データをインターネットを介して管理部（管理側）に送信して解析し、その水質を監視するための水質監視システムであって、
測定側は、被検試料水の水質検査機器による測定データをメール送信手段によりインターネットを介して管理側のサーバにメール送信し、
管理側は、上記測定データを受信し、該測定データを解析し、データベース化すると共に、所定の水質データ及び／又はアラート情報をクライアントのモバイル端末にメール送信手段によりインターネットを介してメール送信すると共に、クライアントのＰＣからの指令により、所定のデータを水質測定装置内にある通信端末へメール送信手段によりインターネットを介してメール送信し、
クライアントは、上記モバイル端末の画面上に表示された上記水質データ及びアラート情報に基づいて水質を監視する、
ことを特徴とする水質監視システム。
【請求項２】
上記モバイル端末が、携帯電話端末である、請求項１に記載の水質監視システム。
【請求項３】
クライアントのＰＣからインターネットを介して管理側のサーバに送信された検査機器の機器設定変更データを、管理側は、水質測定装置内にある通信端末へメール送信手段によりインターネットを介してメール送信し、測定側は、該データに基づいて検査機器の設定変更を行い、設定変更完了のデータをメール送信手段によりインターネットを介して管理側のサーバにメール送信する、請求項１に記載の水質監視システム。
【請求項４】
クライアントのＰＣからインターネットを介して管理側のサーバに送信された通信端末の動作確認データを、管理側は、水質測定装置内にある通信端末へメール送信手段によりインターネットを介してメール送信し、測定側は、該データに基づいて通信端末の動作確認を行い、動作確認完了のデータをメール送信手段によりインターネットを介して管理側のサーバにメール送信する、請求項１に記載の水質監視システム。
【請求項５】
クライアントのＰＣからインターネットを介して管理側のサーバに送信された水質測定データ履歴確認ホームページの表示要求に基づいて、管理側は、該データをＷｅｂ上に開設した水質測定データ履歴確認ホームページに表示し、クライアントは、上記ホームページにアクセスして、所定の水質測定データ履歴を入手する、請求項１に記載の水質監視システム。
【請求項６】
クライアントのＰＣからインターネットを介して管理側のサーバに送信された最新の水質測定データの取得要求に基づいて、管理側は、最新の水質測定データの取得要求をメール送信手段によりインターネットを介して測定側にメール送信し、
測定側は、該要求に基づいてセンサー群の測定データをメール送信手段によりインターネットを介して管理側のサーバにメール送信し、管理側は、該データをＷｅｂ上に開設した水質測定データ確認ホームページに表示し、
クライアントは、上記水質測定データ確認ホームページにアクセスして、所定の水質測定データを入手する、
ことを特徴とする、請求項１に記載の水質監視システム。
【発明の詳細な説明】
【技術分野】
【０００１】
本発明は、モバイル技術を利用して被検試料水の水質を日常的に監視する水質監視システムに関するものであり、更に詳しくは、複数箇所の水質検査をリアルタイムで検査し、解析し、それをモバイル端末でモニターすることにより、継続的に、リアルタイムで水質を監視することを可能とする新規なモバイル技術による日常的水質監視システムに関するものである。本発明は、人口増加や環境破壊による世界的な水不足と水質悪化に対応するために、「生活に必要な最低限の水の確保」「水資源の適正管理」「水の評価」などの問題が国際的に検討されている（世界水フォーラム、２００３年３月）中で、従来の単発的な水質の検査・監視方式ではなく、リアルタイムで、簡便な手法及びシステムで、かつ低コストで水質を検査・監視し、水質環境のセキュリティーネットワークを構築することが可能な、そして、特に、小規模上水道の水質監視システムに好適な、新しい日常的水質監視技術を提供するものである。即ち、本発明は、特に、大規模浄水施設のない小規模上水道の水質検査の技術分野において、簡便な測定装置とモバイル端末による水質監視システムを利用して、低コストで、低維持管理費による水質検査体制を確立することができる新しい水質監視システムを提供するものとして有用である。
【背景技術】
【０００２】
近代工業の発展に伴い、世界的規模で水質汚染・汚濁が急速に進展し、今日、特に都市部において、水をめぐる問題は質と量の両面において深刻な事態となり、２１世紀は、「水をめぐる争い」の時代であると言われるに至っている。水の質も、この数十年間で大きく変化しており、都市への人口集中は河川の自浄能力以上の物質量を河川に負担させるようになり、表流水全般の富栄養化をもたらし、農業や工業資材である人工合成化学物質や有害重金属による水質汚染は、地球規模的に拡大した。また、水中の有機物が増加する、いわゆる水の富栄養化により、プランクトンなどが増殖し、水の透明度が下がり、異臭を発し、これらが水の浄化を困難にすると共に、浄化過程で消毒用として投入された塩素と水中の有機物が化学反応して有毒物質−発ガン性物質トリハロメタンが生成される。このような水環境から良質の飲料水を得るためには、日常的な水質監視体制の確立がきわめて重要な課題となっている。
【０００３】
従来、上水道及び下水道の水質検査及び監視に関する先行技術が、数多く開発され、報告されている。それらのうち、例えば、水質監視装置に関するものを幾つか例示してみると、例えば、以下の事例が挙げられる。
（１）測定槽内の試料水の温度や溶存酸素の量をヒータや溶存酸素供給手段を利用して調整できるようにした水質監視装置（特許文献１）。
（２）混濁、着色反応、変色反応、試薬添加による呈色反応、その他について自動測定を行い、検査結果を自動的に記録し遠隔地に送信することができる連続水質監視装置（特許文献２）。
（３）配管に残留塩素計やｐＨ計などの電機化学系水質計と濁度色度計などの光学系水質計と、節水のための制御装置を設けた水質監視装置（特許文献３）。
（４）各種測定セル及びセンサに付着する気泡を除去して安定した高精度の測定を行うことができる水質自動監視装置（特許文献４）。
（５）わずかの試料水によって測定誤差を補正して残留塩素濃度を正確に測定することができる水質監視装置（特許文献５）。
（６）水処理ユニットの個数よりも少ない水質計で水質低下をもたらした水処理ユニットを即座に発見することができる水質監視装置（特許文献６）。
（７）水源に基準値以上の有害物質が含有されているか否かを判断する水質判断部と、この水質判断部で基準値以上の有害物質が含有されると判断されたときに所定の異常制御を行う異常制御部とを備えた水質監視装置（特許文献７）。
（８）複数の貯水槽を有する貯水設備におけるその水中の遊離塩素濃度の測定調整を単基の残塩検知部（センサー）で選択的に順次検出測定し、その測定データにより複数の貯水槽の水中の遊離塩素濃度を自動的に調整することができる複数貯水設備の水質監視システム（特許文献８）。
（９）気象データとプランクトン密度の相関をとり、数種の過去の気象データによりプランクトン密度を予測し、水源地や浄水場の水質データを説明する水質監視システム（特許文献９）。
【０００４】
次に、インターネット回線などの何らかの通信手段を利用して、水質データを収集するものとして、例えば、以下の例が挙げられる。
（１０）水質モニタリングステーションを水面上の任意の箇所に設置し、任意の測定目的点の水質の鉛直分布測定を可能にした水質監視システムであって、データを無線で遠方のデータ収集装置に伝送して収集蓄積するようにしたシステム（特許文献１０）。
（１１）複数の水道事業体の施設に設置された水質モニターからの水質監視情報を通信システムを利用して収集する中央水質管理センターを備え、水質モニターによる水質監視情報の収集と中央水質管理センターにおける水質の管理とがリアルタイムで継続的に行われる水質管理システム（特許文献１１）。
（１２）分散配置される水質監視情報を計器以外の所定場所に対してネットワーク網を介してリアルタイムに通報できる水質遠方監視システム（特許文献１２）。
（１３）インターネットなどのネットワークに接続して、水質管理を必要とする水処理場に対して水質管理サービスを提供する水質管理サービス提供システム（特許文献１３）。（１４）小形で無線通信が可能な多項目オンライン分析計を利用した、上水道の配水管末端部分の水質をオンラインで継続監視するに適した配水水質監視システム（特許文献１４）。
（１５）リモートセンシング情報を利用して、湖沼や河川などの水質を監視する水圏監視システム（特許文献１５）。
【０００５】
（１６）工場排水の水質検査を行い、その検査値を記憶する前記工場の環境保全部署の通信端末と、前記工場の水質判定を行う排水処理支援事業者の通信端末とをインターネット回線を介して接続し、排水の処理をアシストする支援システム（特許文献１６）。
（１７）環境水又は廃水などの原水に含まれる成分を分析するシステムとして、溶存成分モニタと粒子成分モニタを河川や湖沼、海洋などに多数設置して環境水の計測を行い、得られた計測モニタを、有線や無線などの通信手段により外部の水質監視センターなどに送ることによりデータベース化したり、インターネットなどのネットワークを通じて一般に提供する分析システム（特許文献１７）。
【０００６】
このように、従来、水質の検査・監視に関する装置及びシステム等が多数報告されており、それらの中には、上述のように、インターネット等のネットワークを利用する水質監視システムが提案されており、例えば、水質モニターによる水質監視情報を通信システムを利用して収集する水質管理システム、水質監視情報をネットワーク網を介してリアルタイムに通報できる水質遠方監視システム、及びインターネットのネットワークに接続して、水質管理を必要とする水処理場に対して水質管理サービスを提供する水質管理サービス提供システム等の例がある。しかし、従来のシステムは、いわゆるネットワーク・コンピュータを利用した大規模システムであり、設備が大型であり、しかも、中央水質管理センターに多くの処理機能を集中配置させた重装備のコンピュータシステムを設備する必要があり、それらのプログラム設計及びネットワークシステムの構築に相当の設備投資と維持管理コストが必要であり、中小規模の施設には導入することは困難であった。
即ち、従来技術は、例えば、大規模浄水施設にみられるように大型の自動検査機器、水質監視装置及びモニター設備等と多数のマンパワーによる重装備な水質監視システムを利用しているのが実情であり、一方、中小規模浄水施設では、水質検査を、マンパワー中心で月１回、２ヶ月に１回といった頻度での検査手法が続いており、例えば、リアルタイムでのトラブル防止や継続的検査による地域別水質データの採取や、それによる水質データベースの整備はほとんど進んでいないのが実情であり、当技術分野においては、これらの水質データをリアルタイムで管理できると共に、例えば、水質事故に即応又は事前に対応できる、そして、従来方式の中央水質管理センターに大型コンピュータ及び処理機能を集中配置する方法とは異なる、特に、小規模施設に導入することが可能な新しいタイプの日常的水質検査システムの開発が強く要請されていた。
【０００７】
【特許文献１】特開平１１−３２６３１２号公報
【特許文献２】特開平８−２５４５２８号公報
【特許文献３】特開平８−１３６５２５号公報
【特許文献４】特開平７−２９４５１０号公報
【特許文献５】特開平７−１４６２８７号公報
【特許文献６】特開平６−１８６２２５号公報
【特許文献７】特開２０００−２３５０２６号公報
【特許文献８】特開２０００−１９７８８３号公報
【特許文献９】特開２００１−２７６３４号公報
【特許文献１０】特開２０００−１２１６２９号公報
【特許文献１１】特開２００２−１１４６０号公報
【特許文献１２】特開２００１−２８５５０７号公報
【特許文献１３】特開２００１−２０５２４９号公報
【特許文献１４】特開２００１−８３１３９号公報
【特許文献１５】特開平９−３８６３１号公報
【特許文献１６】特開２００３−１０８３６号公報
【特許文献１７】特開２００３−５７１５３号公報
【発明の開示】
【発明が解決しようとする課題】
【０００８】
このような状況の中で、本発明者らは、上記従来技術に鑑みて、複数箇所の検査を２４時間、リアルタイムで行い、その検査データに基づく水質の監視を水質検査とほぼ同時的に行うことを可能とする新しい水質監視システムを開発し、提供することを目標として鋭意研究開発を積み重ねた結果、水質測定データをクライアントのモバイル端末にメール送信するモバイル技術を利用した新しい日常的水質監視システムを開発することに成功し、本発明を完成するに至った。
即ち、本発明は、複数箇所の被検試料水の水質データをリアルタイムで測定し、解析し、その水質を日常的に監視することを可能とする新しい水質監視システムを提供することを目的とするものである。
また、本発明は、上記水質測定データをインターネットを介して管理側のサーバに送信し、蓄積し、水質データベース化すると共に、水質データ及びアラート情報をクライアントのモバイル端末にメール送信する機能を装備した、水質監視システムを提供することを目的とするものである。
更に、本発明は、特に、中規模ないし小規模浄水施設の水質検査手法として好適に利用することが可能な、簡便な手段で、低コストに、しかもリアルタイムで水質検査結果をモニターできる新しい水質監視方法及び手段を提供することを目的とするものである。
【課題を解決するための手段】
【０００９】
上記課題を解決するための本発明は、以下の技術的手段から構成される。
（１）複数の水質検査箇所に設置した水質測定装置（測定側）により測定した水質データをインターネットを介して管理部（管理側）に送信して解析し、その水質を監視するための水質監視システムであって、
測定側は、被検試料水の水質検査機器による測定データをメール送信手段によりインターネットを介して管理側のサーバにメール送信し、
管理側は、上記測定データを受信し、該測定データを解析し、データベース化すると共に、所定の水質データ及び／又はアラート情報をクライアントのモバイル端末にメール送信手段によりインターネットを介してメール送信すると共に、クライアントのＰＣからの指令により、所定のデータを水質測定装置内にある通信端末へメール送信手段によりインターネットを介してメール送信し、
クライアントは、上記モバイル端末の画面上に表示された上記水質データ及びアラート情報に基づいて水質を監視する、
ことを特徴とする水質監視システム。
（２）上記モバイル端末が、携帯電話端末である、前記（１）に記載の水質監視システム。
（３）クライアントのＰＣからインターネットを介して管理側のサーバに送信された検査機器の機器設定変更データを、管理側は、水質測定装置内にある通信端末へメール送信手段によりインターネットを介してメール送信し、測定側は、該データに基づいて検査機器の設定変更を行い、設定変更完了のデータをメール送信手段によりインターネットを介して管理側のサーバにメール送信する、前記（１）に記載の水質監視システム。
（４）クライアントのＰＣからインターネットを介して管理側のサーバに送信された通信端末の動作確認データを、管理側は、水質測定装置内にある通信端末へメール送信手段によりインターネットを介してメール送信し、測定側は、該データに基づいて通信端末の動作確認を行い、動作確認完了のデータをメール送信手段によりインターネットを介して管理側のサーバにメール送信する、前記（１）に記載の水質監視システム。
（５）クライアントのＰＣからインターネットを介して管理側のサーバに送信された水質測定データ履歴確認ホームページの表示要求に基づいて、管理側は、該データをＷｅｂ上に開設した水質測定データ履歴確認ホームページに表示し、クライアントは、上記ホームページにアクセスして、所定の水質測定データ履歴を入手する、前記（１）に記載の水質監視システム。
（６）クライアントのＰＣからインターネットを介して管理側のサーバに送信された最新の水質測定データの取得要求に基づいて、管理側は、最新の水質測定データの取得要求をメール送信手段によりインターネットを介して測定側にメール送信し、
測定側は、該要求に基づいてセンサー群の測定データをメール送信手段によりインターネットを介して管理側のサーバにメール送信し、管理側は、該データをＷｅｂ上に開設した水質測定データ確認ホームページに表示し、
クライアントは、上記ホームページにアクセスして、所定の水質測定データを入手する、
ことを特徴とする、前記（１）に記載の水質監視システム。
【００１０】
次に、本発明について更に詳細に説明する。
本発明では、水質の測定・通信装置（測定側という）として、水の水質検査に必要な分析用センサー群を組み込んだ水質検査機器、該検査機器による測定データをデータメール化処理するためのメール処理端末、及び該データメールをデータ処理サーバ等の管理サーバ群を有する管理部（管理側という）にメール送信するための通信端末を、複数の水質検査箇所に設置する。この場合、水質検査機器には、水質検査必要項目に対応したセンサー群の他に、あらゆる種類の有機及び無機成分の分析に必要なセンサー群のうちの任意のセンサーを組み込むことができる。検査項目としては、水道法、水道施行規則などの法令で定められている水質検査項目、例えば、健康項目、有すべき性状項目、快適水質項目、監視項目、試験項目が挙げられる。具体的には、例えば、残留塩素、濁度、ｐＨ、導電率、ＢＯＤ、ＣＯＤ、全リン、全窒素、ＤＯ（溶存酸素）、ＴＯＣ（全有機炭素）、アンモニア等が例示されるが、これらに制限されるものではない。これらの検査項目に対応した検査機器のセンサー群で得られたアナログデータは、まず、アナログ信号として検査機器のコミュニケーションユニットに送信され、次いで、例えば、所定のデータ送信プロトコルによるシリアル通信によりメール処理端末に送信され、データメール化処理された後、該メール処理端末から、例えば、所定のデータ送信プロトコルによるシリアル通信により通信端末へ送信される。測定側の上記検査機器、メール処理端末、及び通信端末は、上記処理に必要な機能を有するものであればいかなる種類のものでも使用可能であり、本発明では、それらの具体的構成は特に制限されるものではない。また、測定側から管理側にメール送信する場合、例えば、バックアップ用を含めて複数のデータメールを送信することができる。更に、水質データの送信方法としては、例えば、パケット通信により、数分おきに送信する方法が例示されるが、これに制限されない。
【００１１】
測定側の、上記測定・通信装置には、例えば、管理側から送信された機器設定変更データに基づいて、検査機器の設定データを変更すると共に、機器の設定が完了したことを示すデータを管理側のサーバに送信する手段及び機能を付加することができる。この場合、好適には、例えば、管理側から、インターネットを介して測定側の通信端末にメール送信された機器設定変更データは、シリアル通信により、メール処理端末に送信され、該メール処理端末でデータメール化処理された後、検査機器のコミュニケーションユニットに送信され、該データに基づいて機器の設定が行われ、次いで、機器の設定が完了したことを示すデータは、シリアル通信により、メール処理端末に送信され、該メール処理端末でデータメール化処理された後、シリアル通信により、通信端末へ送信され、該通信端末から、例えば、所定の電子メールプロトコルによるＴＣＰ／ＩＰ通信により、インターネットを介して管理側のサーバにメール送信される方法が採用される。しかし、本発明は、これらの方法及び手段に制限されるものではなく、それらと同効の方法及び手段であれば同様に使用することができる。
【００１２】
また、上記測定・通信装置には、例えば、管理側から送信された通信端末の動作確認データに基づいて、通信端末の動作を確認すると共に、通信端末の動作確認が完了したことを示すデータを管理側のサーバに送信する手段及び機能を付加することができる。この場合、好適には、例えば、管理側から、インターネットを介して測定側の通信端末にメール送信された上記動作確認データに基づいて、通信端末の動作確認が行われ、次いで、動作確認信号が、シリアル通信により、メール処理端末に送信され、該メール処理端末でデータメール化処理された後、動作確認完了データがメール処理端末から、シリアル通信により、通信端末に送信され、該データは、インターネットを介して管理側のサーバに送信される方法が採用される。しかし、これらの方法及び手段に制限されるものではなく、それらと同効の方法及び手段であれば同様に使用することができる。
【００１３】
更に、上記測定・通信装置には、例えば、管理側から送信された最新の水質測定データの取得要求信号に基づいて、最新の水質測定データを管理側のサーバへ送信する手段及び機能を付加することができる。この場合、好適には、例えば、管理側から、インターネットを介して測定側の通信端末にメール送信された最新の水質測定データの取得要求信号は、シリアル通信により、メール処理端末に送信され、該メール処理端末でデータメール化処理された後、検査機器のコミュニケーションユニットに送信され、該データに基づいてセンサー群の測定データの抽出が行われ、次いで、測定データが、シリアル通信により、メール処理端末に送信され、該メール処理端末でデータメール処理された後、シリアル通信により、通信端末に送信され、所定の電子メールプロトコルによるＴＣＰ／ＩＰ通信により、インターネットを介して管理側のサーバにメール送信される方法が採用される。しかし、本発明は、これらの方法及び手段に制限されるものではなく、それらと同効の方法及び手段であれば同様に使用することができる。
【００１４】
このように、上記測定・通信装置には、検出機器、メール処理端末、及び通信端末の手段及び機能として、例えば、上述の手段及び機能を付加することができるが、本発明は、これらに制限されるものではなく、必要に応じて、任意の手段及び機能を付加することが可能である。これらの測定・通信装置は、好適には、例えば、上記手段及び機能を一体化した測定ユニットの形態のものが例示され、水質検査が必要とされる水系の存在する複数箇所に設置して使用される。上記測定・通信装置の具体的な構成は、任意に設計することができる。
【００１５】
次に、管理側のデータ処理サーバ等を説明する。管理側には、測定側の通信端末から、インターネットを介して、管理側のサーバに送信された水質測定データをデータ処理するためのデータ処理サーバ、該処理データを蓄積するためのデータベースサーバ、測定データ及び／又はこれが水質基準値を超えた場合に送信するアラート情報をクライアントのモバイル端末にメール送信するためのメール発行サーバ、測定データ等をＷｅｂ上のホームページに開設するためのｗｗｗサーバ等のサーバ群が設置される。検査機器により測定された測定データは、上記データ処理サーバで解析、データ処理され、上記データベースサーバによりデータベース化されると共に、所定の水質測定データ及び／又はアラート情報が、上記メール発行サーバからインターネットを介してクライアントのモバイル端末に送信され、また、所定の測定データ等が上記ｗｗｗサーバによりＷｅｂ上に開設されたホームページに提供される。管理側では、上記データベースサーバに蓄積されたデータを任意の加工形態で加工し、クライアントのモバイル端末及びクライアントＰＣに提供することが可能であり、その加工形態は、特に制限されない。また、本発明では、例えば、測定データが所定の水質基準値を超えた場合に送信するアラート情報の具体的な内容及び送信先は、任意に設定及び変更することができる。例えば、警告レベルによって、メール送信先を数段階に分けることができる。更に、管理側の上記サーバ群には、上記サーバの他に、任意の機能を有するサーバを適宜設置できる。上記管理側のサーバ群は、例えば、本水質監視システムを設置する事業者が、前述の測定・通信装置からの測定データ等を一元的に管理し、運営することができるように、一箇所に集中設置することが望ましいが、必要により、複数箇所に設置することも可能である。
【００１６】
検査機器のデータ設定は、水質検査必要項目に応じて、測定側で設定することができる他に、クライアントＰＣ、及び管理側でも設定可能である。例えば、クライアントＰＣから機器設定変更データをインターネットを介して管理側のサーバに送信し、管理側は、該データをインターネットを介して測定側の通信端末に送信し、測定側では、該機器設定変更データに基づいて、検査機器の設定が行われる。また、クライアントＰＣにより、測定側の通信端末の動作確認、管理側のｗｗｗサーバによりＷｅｂ上に開設された水質測定データ履歴確認及び最新の水質測定データホームページへのアクセス等が実行される。
また、本発明では、水質測定データ、アラート情報等が、管理側のメール発行サーバより継続的にクライアントの携帯電話端末、携帯パソコン、ＰＤＡ等のモバイル端末に送信されるので、クライアントは、自己のモバイル端末の画面を介して、所定のデータ及び／又は情報をリアルタイムで入手し、水質の状況を日常的に監視することができる。
【発明の効果】
【００１７】
本発明により、（１）モバイル技術を利用した日常的水質監視システムを構築し、提供できる、（２）従来の中央水質管理センターに大型コンピュータを設置した集中的水質監視システムに代わる、モバイル端末のデータメール送信機能を利用した新しいタイプの水質監視システムを提供できる、（３）モニター側の機器類を軽装備化及びモバイル化することができる、（４）低コストの、特に、小規模水道施設に好適な水質監視システムを提供できる、（５）水質データ及び／又はアラート情報をリアルタイムで継続的に複数のクライアントに送信し、日常的水質監視できる水質監視システムを提供できる、という効果が奏される。
【発明を実施するための最良の形態】
【００１８】
次に、本発明を実施例に基づいて具体的に説明するが、本発明は、以下の実施例によって何ら限定されるものではない。
【実施例】
【００１９】
図１に、測定装置からデータ送信する場合の一実施例を示す。測定側の測定・通信装置において、検査機器に組み込まれた水質検査必要項目に対応したセンサー群により測定された測定データは、シリアル通信により、メール処理端末に送信（１）され、該メール処理端末でデータメール化処理された後、メール処理端末から通信端末へデータメール送信指示の送信（２）が行われる。図６に、水質検査装置のブロック図の一例を示す。センサー群で検出されたデータは、アナログ信号として指示調節計を経て、ＡＤ変換ユニットに送られ、デジタル信号に変換され、マルチコミュニケーションユニットを経て、シリアル通信としてメール処理端末に送信される。一方、指示調節計の指示に基づいて、プログラマブルコントローラにより、例えば、運転管理等の各種制御が実行される。次いで、上記データは、通信端末から所定の電子メールプロトコルによるＴＣＰ／ＩＰ通信により送信（３）され、インターネットを介して管理側のサーバに送信（４）される。続いて、管理側のサーバにおいて、データ解析、データ処理、データベース化が行われ、メール発行サーバから、ＴＣＰ／ＩＰ通信により、インターネットを介して、予め登録されたクライアントのメール受信モバイル端末に、水質に関するデータ及び／又はアラートメールが送信（５）される。各クライアントは、自己のモバイル端末の画面上に所定の水質測定情報及び／又はアラート情報を表示し、確認することができる。図７に、表示データの一例を示す。
【００２０】
図２に、クライアントのＰＣから、水質測定装置内のセンサー群の設定情報を送信する場合の一実施例を示す。
クライアントＰＣから機器設定変更データを、ＴＣＰ／ＩＰ通信により送信（６）し、インターネットを介して管理側のサーバに送信（７）する。管理側において、送信された設定データをデータメール化処理した後、水質測定装置内にある通信端末へ、ＴＣＰ／ＩＰ通信により送信（８）し、インターネットを介して測定側の通信端末へ送信（９）する。測定側において、受信したデータメールをメール処理端末に、シリアル通信により送信（１０）し、受信したデータメールをメール処理端末で処理し、シリアル通信により、検査機器のコミュニケーションユニットに機器設定変更データを送信（１１）し、該データに基づいて機器設定を行う。続いて、シリアル通信により、機器の設定が完了したことを示すデータを装置内のメール処理端末に送信（１２）し、該データをメール処理端末でデータメール化処理した後、シリアル通信により、通信端末へデータメール送信指示の送信（１３）を行い、該データメールを、ＴＣＰ／ＩＰ通信により送信（１４）し、インターネットを介して管理側のサーバに送信（１５）する。次いで、管理側において、データ処理サーバでデータ処理した後、データベース化する。
【００２１】
図３に、クライアントのＰＣから水質測定装置内の通信端末の動作確認データを送信する場合の一実施例を示す。
クライアントＰＣから通信端末の動作確認データを、ＴＣＰ／ＩＰ通信により送信（１６）し、インターネットを介して管理側に送信（１７）する。次いで、管理側において、送信された通信端末の動作確認データをデータメール化処理した後、これをＴＣＰ／ＩＰ通信により送信（１８）し、インターネットを介して水質測定装置内にある通信端末へ送信（１９）する。続いて、測定側において、受信した通信端末の動作確認データに基づいて、通信端末の動作を確認した後、動作確認信号を、シリアル通信により、通信端末からメール処理端末へ送信（２０）し、次いで、メール処理端末から、シリアル通信により、通信端末に動作確認完了データメール送信指示を送信（２１）し、通信端末から上記データメールを送信（２２）し、ＴＣＰ／ＩＰ通信により、インターネットを介して管理側のサーバに送信（２３）する。次いで、管理側において、上記データメールはデータ処理される。
【００２２】
図４に、クライアントのＰＣから水質測定データの履歴を確認する場合の一実施例を示す。
クライアントＰＣから、水質測定データ履歴確認ホームページの表示要求を送信（２４）し、ＴＣＰ／ＩＰ通信により、インターネットを介して管理側のサーバに送信（２５）する。管理側において、クライアントのＩＤを確認した後、ｗｗｗサーバに開設した水質測定データ履歴確認ホームページのデータを送信（２６）し、ＴＣＰ／ＩＰ通信により、インターネットを介してクライアントＰＣへ送信（２７）する。次いで、クライアントは、自己のＰＣの画面上に上記データを表示して所定の水質測定データ履歴を確認する。
【００２３】
図５に、クライアントのＰＣから最新の水質測定データを取得する場合の一実施例を示す。
クライアントのＰＣから、最新の水質測定データの取得要求を送信（２８）し、ＴＣＰ／ＩＰ通信により、インターネットを介して管理側のサーバに送信（２９）する。管理側において、送信された最新の水質測定データの取得要求をデータメール化処理した後、該データメールを水質測定装置内にある通信端末へ送信（３０）し、ＴＣＰ／ＩＰ通信により、インターネットを介して水質測定装置内にある通信端末へ送信（３１）する。次いで、測定側において、受信したデータメールをメール処理端末に、シリアル通信により送信（３２）し、該データメールをメール処理端末で処理し、シリアル通信により検出機器のコミュニケーションユニットに最新の水質測定データの取得要求を送信（３３）し、該データメールに基づいて所定のセンサー群の測定データを抽出する。続いて、該測定データをコミュニケーションユニットからシリアル通信によりメール処理端末へ送信（３４）し、該データをメール処理端末でデータメール化処理した後、シリアル通信により、メール処理端末から通信端末へデータメール送信指示の送信（３５）を行う。次いで、通信端末からデータメールを送信（３６）し、ＴＣＰ／ＩＰ通信により、インターネットを介して管理側のサーバに送信（３７）する。
【００２４】
次に、クライアントＰＣから、水質測定データ履歴確認ホームページの表示要求を送信（３８）し、ＴＣＰ／ＩＰ通信により、インターネットを介して管理側のサーバに送信（３９）する。次いで、管理側において、クライアントのＩＤを照合した後、水質測定データ履歴確認ホームページのデータを送信（４０）し、ＴＣＰ／ＩＰ通信により、インターネットを介してクライアントＰＣへ送信（４１）する。クライアントは、該データを自己のＰＣの画面上に表示し、所定の水質測定データを取得する。
【産業上の利用可能性】
【００２５】
以上詳述したように、本発明は、モバイル技術による水質監視システムに係るものであり、複数箇所の水質検査を２４時間、リアルタイムで行うことが可能な新しい日常的水質監視システムを提供できる。また、本発明により、水質測定データをリアルタイムで取得し、水質事故に即応又は事前に対応できる、新しい水質監視方法を提供できる。また、本発明により、水質測定データ及び／又はアラート情報をクライアントのモバイル端末でリアルタイムで取得し、監視することができる。本発明は、特に、小規模上水道における簡便、かつ低コストで高精度の水質検査システムとして有用である。更に、本発明は、従来のマンパワー中心で月１回、２ヶ月に１回といった頻度での検査手法に代わり得る、新しいタイプの水質検査手法を提供するものとして有用である。
【図面の簡単な説明】
【００２６】
【図１】測定装置からデータ送信する場合の一実施例を示す。
【図２】クライアントのＰＣから水質測定装置内のセンサー群の設定情報を送信する場合の一実施例を示す。
【図３】クライアントのＰＣから水質測定装置内の通信端末の動作確認データを送信する場合の一実施例を示す。
【図４】クライアントのＰＣから水質測定データの履歴を確認する場合の一実施例を示す。
【図５】クライアントのＰＣから最新の水質測定データを取得する場合の一実施例を示す。
【図６】水質検査装置のブロック図の一例を示す。
【図７】表示データの一例を示す。
【図１】
2005250557.tif 000003
【図２】
2005250557.tif 000004
【図３】
2005250557.tif 000005
【図４】
2005250557.tif 000006
【図５】
2005250557.tif 000007
【図６】
2005250557.tif 000008
【図７】
2005250557.tif 000009